(57)【要約】【課題】ゴミや振動などの外的要因に対する高い耐性およびスラスト方向におけるバリア羽根の高い位置精度を確保したバリア機構の量産の容易化を図ること。【解決手段】接離方向に移動可能に設けられ、移動することによって光路を開く位置または光路を閉じる位置に選択的に位置付けられる一対のバリア羽根１０１と、光路から退避した位置に設けられて、一対のバリア羽根１０１が接離方向に沿って移動可能に係合されるガイドポール１０７と、を備えたことを特徴とし、バリア羽根１０１の移動位置をガイドポール１０７によって規制することによりバリア羽根１０１が光軸に交差する平面内においてのみ移動するようにした。【選択図】図１
2009244718.tif 000002
【特許請求の範囲】
【請求項１】
光軸に交差する平面内において互いに接離する方向（以下「接離方向」という）に移動可能に設けられ、移動することによって光路を開く位置または前記光路を閉じる位置に選択的に位置付けられる一対のバリア羽根と、
前記光路から退避した位置に設けられて、前記一対のバリア羽根が前記接離方向に沿って移動可能に係合されるガイド部材と、
を備えたことを特徴とするバリア機構。
【請求項２】
前記ガイド部材は、前記一対のバリア羽根が係合されて、前記光路から退避した位置において前記一対のバリア羽根の接離方向に延出するポール形状からなることを特徴とする請求項１に記載のバリア機構。
【請求項３】
前記ガイド部材は、前記一対のバリア羽根のそれぞれが係合されたことを特徴とする請求項２に記載のバリア機構。
【請求項４】
前記ガイド部材は、前記一対のバリア羽根の幅方向の両端部に係合されたことを特徴とする請求項１〜３のいずれか一つに記載のバリア機構。
【請求項５】
前記一対のバリア羽根が互いに接する方向または離間する方向に前記一対のバリア羽根を付勢する付勢部材を備えたことを特徴とする請求項１〜４のいずれか一つに記載のバリア機構。
【請求項６】
前記接離方向のいずれか一方向に前記一対のバリア羽根を付勢する付勢部材と、
前記一対のバリア羽根にそれぞれ連結され、前記接離方向に摺動自在な動力伝達片と、
前記動力伝達片と当接し、前記光軸方向において前記動力伝達片に対して変位することにより前記動力伝達片を介して前記バリア羽根を接離方向へ移動させる作動片と、
を備えたことを特徴とする請求項１〜５のいずれか一つに記載のバリア機構。
【請求項７】
前記一対のバリア羽根が互いに接する方向に前記一対のバリア羽根を付勢する付勢部材と、
前記光軸方向に対して変位可能であって、対物側ほど先細となる形状をなす作動片と、
前記一対のバリア羽根にそれぞれ連結され、当該一対のバリア羽根が前記閉じる位置に位置付けられている場合に前記作動片に対して相対的に変位することによって当該作動片の挿入を許容する作動片受け部を構成する一対の動力伝達片と、
を備え、
前記作動片は、前記作動片受け部に対して前記接眼側から当接し前記一対の動力伝達片の間隔を押し開きながら光軸方向において対物側に向かって移動することによって前記バリア羽根を開く位置に位置付け、光軸方向において接眼側に向かって移動することによって前記バリア羽根を閉じる位置に位置付けることを特徴とする請求項１〜６のいずれか一つに記載のバリア機構。
【請求項８】
前記一対の動力伝達片は、前記バリア羽根が前記閉じる位置に位置付けられている場合に、互いに非接触とされることを特徴とする請求項６に記載のバリア機構。
【請求項９】
光路上に設けられたレンズと、
前記レンズの光路を開く位置または当該光路を閉じる位置に選択的に位置付けられる一対のバリア羽根を備えた請求項１〜８のいずれか一つに記載のバリア機構と、
を備えたレンズ装置。
【請求項１０】
撮像素子と、
前記撮像素子に外光を入射させる光路を形成する請求項９に記載のレンズ装置と、
を備えたことを特徴とする撮像装置。
【発明の詳細な説明】
【技術分野】
【０００１】
この発明は、非撮像時におけるカメラの対物レンズを覆うことで、外部からの衝撃や汚損などから対物レンズを保護するバリア機構、レンズ装置および撮像装置に関する。
【背景技術】
【０００２】
光軸上に配置されたレンズなどの光学部材を備えたレンズ装置には、たとえば光路から退避した位置に設けられた回動軸を中心として光路を横切る方向に回動可能に設けられたバリア羽根を備え、このバリア羽根を回動させることによって光路を開閉するようにしたバリア機構を備えたものがあった。
【０００３】
従来、バリア羽根全開時とバリア羽根全閉時においてバリア羽根駆動リングが前進してバリア羽根をバリア保護カバーの後面に押しつけるようにした技術（たとえば、下記特許文献１を参照。）や、閉じることによってカメラのレンズを保護するバリアセクタの周縁部に厚みを増した突部を形成し、突部より相対的に薄くなった領域に保護セクタを配備した技術（たとえば、下記特許文献２を参照。）などがあった。また、従来、バリア羽根構造にゴミなどの異物が入り込むことを防止するために、バリア羽根の対物方向側に撮影に必要な光線が通ることを可能とした透明な板を設けた技術があった。
【０００４】
【特許文献１】特開平９−６１８８７号公報
【特許文献２】特開２００７−１２１７８１号公報
【発明の開示】
【発明が解決しようとする課題】
【０００５】
しかしながら、上述した従来の技術では、光軸方向における寸法を抑えつつバリア羽根が回動するための空間を確保するため、バリア機構にかかる各部品の製造精度および部品の組み立て精度を厳密に確保しなくてはならない。この一方で、バリア機構にかかる各部品の製造および部品の組み立てに対する要求精度を高くするほど量産性が低下してしまう。すなわち、従来の技術では、バリア羽根の動作にかかるスラスト方向の寸法精度の向上とバリア機構の量産性の向上とを両立することが困難であるという問題があった。
【０００６】
また、バリア羽根が回動するための空間を広くすることにより、引っかかりなどを防止してバリア羽根を安定して作動させることが可能になるが、バリア羽根が回動するための空間を広くすると作動に際してバリア羽根が安定せずバリア羽根の暴れが生じたり、閉じた状態におけるバリア羽根どうしの合わせ目がずれてしまい、外観上の美観が低下してしまう。
【０００７】
また、バリア羽根が回動するための空間を広くすると、この空間内に砂や埃などの異物が入り込み易くなり、入り込んだ異物によってバリア羽根の作動に支障をきたすという問題があった。バリア機構は、異物などを入り込ませることなく、バリア羽根の作動空間を確保しながらもバリア機構全体での薄型化が要求されているが、従来の技術ではこれらのすべての要求を満足しうるバリア機構を実現することは困難であるという問題があった。
【０００８】
また、バリア羽根の対物方向側に撮影に必要な光線が通ることを可能とした透明な板を設けた従来の技術では、レンズ性能の明るさをあらわすＦ値が低下してしまい、レンズが有する本来の性能を有効に活用しきれなくなってしまうという問題があった。
【０００９】
この発明は、上述した従来技術による問題点を解消するため、ゴミや振動などの外的要因に対する高い耐性およびスラスト方向におけるバリア羽根の高い位置精度を確保したバリア機構の量産の容易化を図ることができるバリア機構、レンズ装置および撮像装置を提供することを目的とする。
【課題を解決するための手段】
【００１０】
上述した課題を解決し、目的を達成するため、この発明にかかるバリア機構は、光軸に交差する平面内において互いに接離する方向（以下「接離方向」という）に移動可能に設けられ、移動することによって光路を開く位置または前記光路を閉じる位置に選択的に位置付けられる一対のバリア羽根と、前記光路から退避した位置に設けられて、前記一対のバリア羽根が前記接離方向に沿って移動可能に係合されるガイド部材と、を備えたことを特徴とする。
【００１１】
この発明によれば、バリア羽根の移動位置をガイド部材によって規制することによりバリア羽根が光軸に交差する平面内においてのみ移動するので、簡易な構成によって光軸方向におけるバリア羽根の移動（スラスト方向におけるバリア羽根のブレ）を防止し、スラスト方向におけるバリア羽根の位置を安定化することができる。
【００１２】
また、この発明によれば、バリア羽根が移動するための空間を確保するための部品の製造精度およびこれらの部品の組み立て精度を格別厳密に管理することなく、バリア羽根を確実かつ高精度で移動させることができる。
【００１３】
さらに、この発明によれば、バリア羽根が移動するための空間を確保する必要がないのでバリア羽根の移動領域に埃などの異物がたまりにくくなり、異物がバリア羽根の移動の妨げとなることを抑制するとともに、バリア羽根が直線移動することからバリア羽根の開閉に回動をともなう従来のバリア機構と比較して異物の発生を抑えることによって、異物が原因となるバリア羽根の動作不良を抑制することができる。
【００１４】
また、この発明にかかるバリア機構は、上記の発明において、前記ガイド部材が、前記一対のバリア羽根が係合されて、前記光路から退避した位置において前記一対のバリア羽根の接離方向に延出するポール形状からなることを特徴とする。
【００１５】
この発明によれば、バリア羽根の移動位置をポール形状からなるガイド部材によって規制することにより、簡易な構成によって光軸方向におけるバリア羽根の移動（スラスト方向におけるバリア羽根のブレ）を防止することができる。
【００１６】
また、この発明にかかるバリア機構は、上記の発明において、前記ガイド部材が、前記一対のバリア羽根のそれぞれが係合されたことを特徴とする。この発明によれば、一対のバリア羽根の移動位置を同一のガイド部材によって規制することにより、簡易な構成によって、閉じる位置にある一対のバリア羽根どうしを当接させることができる。
【００１７】
また、この発明にかかるバリア機構は、上記の発明において、前記ガイド部材が、前記一対のバリア羽根の幅方向の両端部に係合されたことを特徴とする。この発明によれば、光路の径にかかわらず簡易な構成によって光軸方向におけるバリア羽根の移動（スラスト方向におけるバリア羽根のブレ）を防止することができる。
【００１８】
また、この発明にかかるバリア機構は、上記の発明において、前記一対のバリア羽根が互いに接する方向または離間する方向に前記一対のバリア羽根を付勢する付勢部材を備えたことを特徴とする。この発明によれば、それぞれのバリア羽根をバリア羽根の移動方向（ラジアル方向）に平行な方向に付勢することによって、移動方向におけるバリア羽根の位置を安定化することができる。
【００１９】
また、この発明にかかるバリア機構は、上記の発明において、前記接離方向のいずれか一方向に前記一対のバリア羽根を付勢する付勢部材と、前記一対のバリア羽根にそれぞれ連結され、前記接離方向に摺動自在な動力伝達片と、前記動力伝達片と当接し、前記光軸方向において前記動力伝達片に対して変位することにより前記動力伝達片を介して前記バリア羽根を接離方向へ移動させる作動片と、を備えたことを特徴とする。
【００２０】
この発明によれば、たとえばレンズ装置における鏡筒を沈胴状態と繰出状態とに変形可能とする機構を利用して、光路長を伸縮させる際の駆動力によって作動片を移動させてバリア羽根の開閉をおこなうことができる。これによって、バリア羽根を回転させる構造を備えた従来のバリア装置が備えた、バリア羽根を回転させるための回転環を不要とすることができる。
【００２１】
また、この発明にかかるバリア機構は、上記の発明において、前記一対のバリア羽根が互いに接する方向に前記一対のバリア羽根を付勢する付勢部材と、前記光軸方向に対して変位可能であって、対物側ほど先細となる形状をなす作動片と、前記一対のバリア羽根にそれぞれ連結され、当該一対のバリア羽根が前記閉じる位置に位置付けられている場合に前記作動片に対して相対的に変位することによって当該作動片の挿入を許容する作動片受け部を構成する一対の動力伝達片と、を備え、前記作動片は、前記作動片受け部に対して前記接眼側から当接し前記一対の動力伝達片の間隔を押し開きながら光軸方向において対物側に向かって移動することによって前記バリア羽根を開く位置に位置付け、光軸方向において接眼側に向かって移動することによって前記バリア羽根を閉じる位置に位置付けることを特徴とする。
【００２２】
この発明によれば、ズームレンズ装置などにおいて光路長を伸縮させるための構造としてレンズ装置が一般的に有する機構を利用して、光路長を伸縮させる際の駆動力によって作動片を移動させてバリア羽根の開閉をおこなうことができる。これによって、バリア羽根を回転させる構造を備えた従来のバリア装置が備えた、バリア羽根を回転させるための回転環を不要とすることができる。
【００２３】
また、この発明にかかるバリア機構は、上記の発明において、前記一対の動力伝達片は、前記バリア羽根が前記閉じる位置に位置付けられている場合に、互いに非接触とされることを特徴とする。この発明によれば、閉じる位置におけるバリア羽根が、他の部材の干渉の影響を受けることなく接触するようにすることによって、閉じる位置におけるバリア羽根の間に隙間が生じること（薄目発生）を防止することができる。
【００２４】
また、この発明にかかるレンズ装置は、光路上に設けられたレンズと、前記レンズの光路を開く位置または当該光路を閉じる位置に選択的に位置付けられる一対のバリア羽根を備えた上記のバリア機構と、を備えたことを特徴とする。
【００２５】
この発明によれば、埃などの異物が入り込むことを防止し、異物の進入によるバリア羽根の作動不良の発生を防止することができるとともにレンズを確実に保護することができる。
【００２６】
また、この発明にかかる撮像装置は、撮像素子と、前記撮像素子に外光を入射させる光路を形成する上記のレンズ装置と、を備えたことを特徴とする。この発明によれば、薄型化を図ったレンズによって撮像装置の小型化を図るとともに、ゴミや振動などの外的要因に対してレンズを保護することによって異物が写り混むことによる画質の低下を防止し、品質のよい画像を撮像することができる。
【発明の効果】
【００２７】
本発明にかかるバリア機構、レンズ装置および撮像装置によれば、バリア機構を構成する部品の製造精度や組み立て精度を格別厳密に管理することなく、スラスト方向におけるバリア羽根の位置精度の向上を図るとともに埃などの異物の侵入を防止することができるという効果を奏する。これによって、ゴミや振動などの外的要因に対する高い耐性およびスラスト方向におけるバリア羽根の高い位置精度を確保したバリア機構の量産の容易化を図ることができる。
【発明を実施するための最良の形態】
【００２８】
以下に添付図面を参照して、この発明にかかるバリア機構、レンズ装置および撮像装置の好適な実施の形態を詳細に説明する。
【００２９】
まず、この発明にかかる実施の形態のバリア機構、レンズ装置および撮像装置について説明する。図１、図２、図３および図４は、この発明にかかる実施の形態のバリア機構を示す説明図である。図１および図２においては、この発明にかかる実施の形態のバリア機構の斜視状態を示している。図３および図４においては、この発明にかかる実施の形態のバリア機構の図１および図２におけるＡ−Ａ断面をそれぞれ示している。図１および図３は開き状態にあるバリア機構を示し、図２および図４は閉じ状態にあるバリア機構を示している。
【００３０】
図１、図２、図３および図４において、この発明にかかる実施の形態のバリア機構１００は、２枚のバリア羽根１０１を備えている。２枚のバリア羽根１０１は、光軸に交差する平面内において、光軸を間にして対向配置されている。また、２枚のバリア羽根１０１は、光軸に交差する平面内において互いに接離する方向（以下「接離方向」という）に移動可能に設けられている。図１、図２、図３および図４において、接離方向は、図１、図２、図３および図４における紙面上下方向とする。
【００３１】
２枚のバリア羽根１０１は、接離方向に移動することによって光路を開く位置（以下「開き位置」という）または光路を閉じる位置（以下「閉じ位置」という）に選択的に位置付けられる。２枚のバリア羽根１０１は、略半円形状からなり、閉じ位置に位置付けられている状態においては互いに当接することによって略円板形状をなす。
【００３２】
２枚のバリア羽根１０１は、光軸方向において前枠２０１よりも接眼側において、接離方向に往復移動する。前枠２０１は、環形状をなす部材であって、開き位置におけるバリア羽根１０１やレンズ装置２００が備えるその他の機構部、あるいは各部品間の隙間などを覆っている。これによって、バリア機構１００およびこのバリア機構１００を備えたレンズ装置２００や撮像装置の美観向上を図ることができる。
【００３３】
前枠２０１は、鏡筒２０２に設けられている。鏡筒２０２は、光軸方向を軸心方向とする略円筒形状をなし、内周部に１または複数のレンズ（あるいはレンズ群）を保持している。鏡筒２０２の内周部に設けられた１または複数のレンズについては説明を省略する。前枠２０１の外径は鏡筒２０２の内径と略同一とされており、前枠２０１は鏡筒２０２の対物側の端部にはめ込まれることによって取り付けられている。
【００３４】
レンズ装置２００は光路長が最短となる沈胴状態と光路長が最長となる繰出状態とに変形可能とされている。レンズ装置２００は、たとえばカム機構を利用することによってレンズ装置２００の状態を沈胴状態と繰出状態とに変形させる。レンズ装置２００の状態を沈胴状態と繰出状態とに変形させる機構については公知の技術であるため説明を省略する。
【００３５】
バリア機構１００は、レンズ装置２００が沈胴状態にある場合にバリア羽根１０１が閉じ位置に位置づけられる閉じ状態となり、レンズ装置２００が繰出状態にある場合にバリア羽根１０１が開き位置に位置づけられる開き状態となる。すなわち、バリア機構１００の開閉は、レンズ装置２００の状態変化（沈胴状態か繰出状態か）に連動している。
【００３６】
バリア羽根１０１は、取り付け位置および移動方向にかかわらず、同一の形状からなる。２枚のバリア羽根１０１は、それぞれ連結部材１０２を備えている。連結部材１０２は、光軸に交差する平面内であって接離方向に直交する方向（以下、「幅方向」という）における、２枚のバリア羽根１０１の両端側に設けられている。
【００３７】
図５は、バリア羽根１０１を示す斜視図である。図５において、連結部材１０２は、連結部材１０２を接離方向に貫通する孔５０１を備えている。この実施の形態においては、取り付け位置にかかわらず、同じバリア羽根１０１を２枚用いてバリア機構１００を構成している。
【００３８】
連結部材１０２は、２枚のバリア羽根１０１が互いに接する方向に、２枚のバリア羽根１０１を付勢する圧縮スプリング１０３を備えている。圧縮スプリング１０３の一端は一方の連結部材１０２に設けられた突起１０４に係合し、圧縮スプリング１０３の他端は他方の連結部材１０２に設けられた突起１０５に係合している。圧縮スプリング１０３は、自身の収縮力によって、圧縮スプリング１０３の両端を支持する突起１０４、１０５が接近する方向に突起１０４、１０５を付勢することによって２枚のバリア羽根１０１を付勢する。
【００３９】
この実施の形態においては、圧縮スプリング１０３によって付勢部材が実現されている。付勢部材は、圧縮スプリング１０３に限るものではなく、たとえばゴムなどのように弾性を有する材料自体が備える復元力によって２枚のバリア羽根１０１が互いに接する方向に付勢するものであってもよい。
【００４０】
連結部材１０２は、動力伝達片１０６を備えている。動力伝達片１０６は、連結部から接眼側に向かって光軸方向に平行に突出している。動力伝達片１０６は、２枚のバリア羽根１０１が閉じ位置に位置する場合に接離方向において当接する。動力伝達片１０６は、それぞれ、接離方向において互いに対向する位置に、斜面部２０３を備えている。動力伝達片１０６は、互いに当接した状態において、斜面部２０３によって光軸方向において凹形状をなす作動片受け部２０４を形成する。作動片受け部２０４は、接眼側に向かって開口しており、この実施の形態においては作動片受け部を実現する。
【００４１】
バリア機構１００は、ガイドポール１０７を備えている。ガイドポール１０７は光路から退避した位置に設けられており、ガイドポール１０７には一対のバリア羽根１０１がそれぞれ接離方向に沿って移動可能な状態で係合される。ガイドポール１０７は、幅方向における２枚のバリア羽根１０１の両端側に１本ずつ設けられている。
【００４２】
各ガイドポール１０７は、接離方向において対向する連結部材１０２が備える孔５０１に挿入されている。連結部材１０２は、ガイドポール１０７に沿ってガイドポール１０７に対してスライド可能とされている。すなわち、連結部材１０２は、接離方向にスライド可能とされている。これによって、２枚のバリア羽根１０１は、それぞれ接離方向に移動可能とされている。
【００４３】
また、バリア機構１００は、作動片１０８を備えている。作動片１０８は、対物側ほど先細となる形状をなし、光軸方向に移動可能とされている。作動片１０８は、バリア羽根１０１が閉じ位置に位置付けられている状態では、光軸方向において動力伝達片１０６よりも接眼側に位置付けられる。作動片１０８は、接眼側から対物側に移動する際には、動力伝達片１０６によって形成される作動片受け部２０４に接眼側から当接し、一対の動力伝達片１０６の間隔を押し開きながら移動する。
【００４４】
一対の動力伝達片１０６の間隔は、接離方向における作動片１０８の寸法すなわち作動片１０８の幅が、もっとも大きくなった場合に最大となる。バリア羽根１０１は、接離方向に対向する一対の動力伝達片１０６の間隔が最大に開いた場合に開き位置に位置付けられる。
【００４５】
作動片１０８は、レンズ装置２００の状態変化にともなって移動し、沈胴状態においては光軸方向において動力伝達片１０６よりも接眼側に位置付けられる。また、作動片１０８は、レンズ装置２００の状態変化にともなって移動し、繰出状態においては作動片受け部２０４に当接し、一対の動力伝達片１０６の間隔をもっとも大きくなった状態とする。
【００４６】
作動片１０８が対物側から接眼側に移動する際、一対の動力伝達片１０６は、圧縮スプリング１０３の付勢力によって作動片１０８の幅に応じて間隔を徐々に小さくする。バリア羽根１０１は、対向する一対の動力伝達片１０６によって作動片受け部２０４が形成される位置まで作動片１０８が移動した場合に、閉じ位置に位置付けられる。
【００４７】
作動片１０８は、対物側から接眼側に移動する際に、作動片受け部２０４を形成するそれぞれの動力伝達片１０６に当接した位置で停止する。これによって、閉じ状態において、接離方向における動力伝達片１０６の位置を安定して定位置に定めることができる。
【００４８】
作動片１０８は、具体的には、たとえば光軸を中心として回転可能に設けられた部材(たとえば図８における符号８０３を参照)と作動片１０８とをカム機構を介して連結することによって対物側の端部位置と接眼側の端部位置との間を移動することが可能な構成とされている。
【００４９】
作動片１０８が、対物側の端部位置と接眼側の端部位置との間を移動する距離は、沈胴状態から繰出状態への移動に際しての光路長の変化量（長さ）、あるいは、繰出状態から沈胴状態への移動に際しての光路長の変化量（長さ）よりも長い。作動片１０８は、繰出状態においては対物側の端部（先端）が動力伝達片１０６に当接し、沈胴状態においては対物側の端部（先端）が動力伝達片１０６から離間するように移動する。
【００５０】
つぎに、ガイドポール１０７の取り付け方法について説明する。図６および図７は、ガイドポール１０７の取り付け方法を示す説明図である。図６においては、ガイドポール１０７、圧縮スプリング１０３、動力伝達片１０６などを外部に開放するように、レンズ装置２００における鏡筒２０２の一部を切断した断面を示している。図７においては、図６におけるＢ−Ｂ断面を示している。
【００５１】
図６および図７において、ガイドポール１０７は、前枠２０１と鏡筒２０２とによって支持されている。前枠２０１は、前枠２０１の接眼側から接眼側に向かって突出するポール受け部６０１を備えている。ポール受け部６０１は、前枠２０１が鏡筒２０２に取り付けられることによって鏡筒２０２に設けられたポール受け部６０２に当接し、鏡筒２０２に設けられたポール受け部６０２との間にポール支持用の孔６０３を形成する。
【００５２】
ガイドポール１０７は、ポール支持用の孔６０３においてポール受け部６０１、６０２によって狭持されることによって鏡筒２０２に取り付けられている。ポール受け部６０１、６０２によってガイドポール１０７を狭持することにより、ネジや接着剤などを用いることなくガイドポール１０７を固定することができ、ガイドポール１０７の取り付け作業の容易化を図ることができる。
【００５３】
つぎに、作動片１０８の駆動方法について説明する。図８は、作動片１０８の駆動方法を示す説明図である。図８において、作動片１０８は、光軸を中心とする円の外周方向に突出する突起８０１を備えている。突起８０１は、直進筒８０２に設けられた直進溝（図示を省略する）を介して、直進筒８０２の外周側に位置するカム筒８０３に設けられたカム溝８０４に係合している。直進溝は、直進筒８０２を直進筒８０２の半径方向に貫通しており、直進溝に挿入された突起８０１が光軸方向にのみ移動するように、突起８０１が移動する位置を規制する。
【００５４】
直進筒８０２は、光軸方向に移動することが可能とされている。直進筒８０２を光軸方向に移動可能とする構成については公知の各種技術を用いて容易に実現可能であるため説明を省略する。カム筒８０３は、略円筒形状をなし、光軸を中心として直進筒８０２に対して相対的に回転可能とされている。カム溝８０４は、カム筒８０３の内周面に形成され、光軸を軸心とする螺旋形状をなす。
【００５５】
突起８０１は、直進溝を介してカム溝８０４に挿入されているため、直進筒８０２に対して第１カム筒８０３が回転すると、直進溝に挿入された突起８０１がカム筒８０３にともなって回転しようとするが、突起は直進溝に挿入されているため光軸に交差する方向には移動せず、直進溝内を光軸方向にのみ移動する。突起８０１の位置は、直進筒８０２に対するカム筒８０３の回転方向に応じて図８における右側から左側あるいは左側から右側に移動する。
【００５６】
突起８０１は、光軸方向における直進筒８０２の移動および直進筒８０２に対するカム筒８０３の相対的な回転によって光軸方向に移動する。これによって、作動片１０８を光軸方向に往復移動させ、２枚のバリア羽根１０１を接離方向に往復移動させることができる。
【００５７】
この実施の形態においては、たとえば、カム筒８０３と作動片１０８とを連結するカム機構におけるカム溝８０４の長手方向の、光軸方向に対する傾斜角度を調整することによって、対物側の端部位置と接眼側の端部位置との間における作動片１０８の移動距離を、沈胴状態から繰出状態への移動に際しての光路長の変化量（長さ）、あるいは、繰出状態から沈胴状態への移動に際しての光路長の変化量（長さ）よりも長くすることができる。
【００５８】
より具体的には、たとえば、光軸方向に対するカム溝８０４の長手方向の傾斜角度を、レンズ装置２００の状態を沈胴状態と繰出状態とに変形させるカム機構におけるカム溝（図示を省略する）の長手方向の傾斜角度よりも、光軸方向に平行に近づくように調整することによって、カム筒８０３の回転量に対する作動片１０８の移動量を多くすることができる。
【００５９】
これによって、作動片１０８が、対物側の端部位置と接眼側の端部位置との間を移動する距離を、沈胴状態から繰出状態への移動に際しての光路長の変化量（長さ）、あるいは、繰出状態から沈胴状態への移動に際しての光路長の変化量（長さ）よりも長くすることができる。
【００６０】
鏡筒２０２、直進筒８０２、カム筒８０３は、光軸方向において相対的に変位可能とされており、たとえばレンズ装置２００を搭載する撮像装置における電源ＯＮ／ＯＦＦの切り替えに際して、光軸方向において相対的に変位することによって、レンズ装置２００における光路長を伸縮させる。
【００６１】
バリア機構１００は、レンズ装置２００における光路長の伸縮動作に同期して作動片１０８を移動させ、バリア羽根１０１の開閉をおこなう。バリア羽根１０１の開閉は、光軸方向（スラスト方向）において、対物レンズ８０５よりも対物側であって、前枠２０１よりも接眼側においておこなう。
【００６２】
対物レンズ８０５は、レンズ保持枠８０６を介して鏡筒２０２に保持されている。対物レンズ８０５は、鏡筒２０２に対して光軸方向に相対的に移動可能であってもよいし、鏡筒２０２に対して固定されていてもよい。
【００６３】
レンズ装置２００は電源ＯＮ時に光路長を伸長させ、バリア羽根１０１は光路長の伸長動作にともなって作動片１０８を移動させてバリア羽根１０１を開き位置に位置付ける。また、レンズ装置２００は電源ＯＦＦ時に光路長を収縮させ、バリア羽根１０１は光路長の収縮動作にともなって作動片１０８を移動させてバリア羽根１０１を閉じ位置に位置付ける。
【００６４】
光路を横切る方向に回動可能に設けられたバリア羽根を回動させることによって光路を開閉するようにした従来のバリア機構では、バリア羽根を回動させるために光軸を中心として回動可能な部材（回転環）を設けていた。この回転環は、レンズ装置２００の光路長の伸縮に際して発生する光軸方向の駆動力を、回転環によって回転方向の駆動力に変換する。
【００６５】
この実施の形態によれば、鏡筒２０２、直進筒８０２、カム筒８０３の光軸方向における相対的な変位にかかる力をバリア羽根１０１の開閉動作に直接利用することができる。これによって、回転環など駆動力の回転方向を変換するための部材を設けることなく、電源ＯＮ／ＯＦＦにともなう鏡筒２０２、直進筒８０２、カム筒８０３の光軸方向における相対的な変位によって発生する光軸方向の駆動力を、そのまま作動片１０８の駆動力として利用することができ、部品点数の低減を図るとともに構成の簡易化を図ることができる。
【００６６】
上述したように、この発明にかかる実施の形態のバリア機構１００によれば、接離方向に移動可能に設けられ、移動することによって光路を開く位置または光路を閉じる位置に選択的に位置付けられる一対のバリア羽根１０１と、光路から退避した位置に設けられて、一対のバリア羽根１０１が接離方向に沿って移動可能に係合されるガイドポール１０７と、を備えたことを特徴とするため、バリア羽根１０１の移動位置をガイドポール１０７によって規制することによりバリア羽根１０１が光軸に交差する平面内においてのみ移動するので、簡易な構成によって光軸方向におけるバリア羽根１０１の移動（スラスト方向におけるバリア羽根１０１のブレ）を防止し、スラスト方向におけるバリア羽根１０１の位置を安定化することができる。
【００６７】
また、この発明にかかる実施の形態のバリア機構１００によれば、バリア羽根１０１が移動するための空間を確保するための部品の製造精度およびこれらの部品の組み立て精度を格別厳密に管理することなく、バリア羽根１０１を確実かつ高精度で移動させることができる。
【００６８】
さらに、この発明にかかる実施の形態のバリア機構１００によれば、バリア羽根１０１が移動するための空間を確保する必要がないのでバリア羽根１０１の移動領域に埃などの異物がたまりにくくなり、異物がバリア羽根１０１の移動の妨げとなることを抑制するとともに、バリア羽根１０１が直線移動することからバリア羽根１０１の開閉に回動をともなう従来のバリア機構１００と比較して異物の発生を抑えることによって、異物が原因となるバリア羽根１０１の動作不良を抑制することができる。
【００６９】
これによって、この発明にかかる実施の形態のバリア機構１００によれば、ゴミや振動などの外的要因に対する高い耐性およびスラスト方向におけるバリア羽根１０１の高い位置精度を確保したバリア機構１００の量産の容易化を図ることができる。
【００７０】
この実施の形態のバリア機構１００によれば、バリア羽根１０１どうしの隙間を管理することによって、対物レンズ８０５を外部から確実に保護することができる。また、この実施の形態のバリア機構１００によれば、スラスト方向におけるバリア羽根１０１の移動（バリア羽根のねじれや振動が加えられることによるバリア羽根の暴れなど）を防止することができるので、バリア羽根が回転する従来のバリア機構と比較して外的要因に対する耐性の向上を図るとともに、バリア羽根１０１を閉じた状態における外観上の美観性の向上を図ることができる。
【００７１】
また、この発明にかかる実施の形態のバリア機構１００によれば、ガイドポール１０７は、一対のバリア羽根１０１が係合されて、光路から退避した位置において一対のバリア羽根１０１の接離方向に延出するポール形状からなることを特徴とするため、バリア羽根１０１の移動位置をポール形状からなるガイドポール１０７によって規制することにより、簡易な構成によって光軸方向におけるバリア羽根１０１の移動（スラスト方向におけるバリア羽根１０１のブレ）を防止することができる。
【００７２】
これによって、簡易な構成によってスラスト方向におけるバリア羽根１０１の位置を安定化し、かつ、ゴミや振動などの外的要因に対する耐性の向上を図るとともに、スラスト方向におけるバリア羽根１０１の高い位置精度を確保したバリア機構１００の量産の容易化を図ることができる。
【００７３】
また、この発明にかかる実施の形態のバリア機構１００によれば、ガイドポール１０７は、一対のバリア羽根１０１のそれぞれが係合されたことを特徴とするため、一対のバリア羽根１０１の移動位置を同一のガイドポール１０７によって規制することにより、簡易な構成によって、閉じる位置にある一対のバリア羽根１０１どうしを当接させることができる。
【００７４】
これによって、搬送時の振動などの外力がバリア機構１００に対して加わった場合にも、簡易な構成により閉じる位置において光路を確実に閉塞することができ、バリア機構１００の外観の美観向上を図ることができる。
【００７５】
また、この発明にかかる実施の形態のバリア機構１００によれば、ガイドポール１０７は、一対のバリア羽根１０１の幅方向の両端部に係合されたことを特徴とするため、光路の径にかかわらず簡易な構成によって光軸方向におけるバリア羽根１０１の移動（スラスト方向におけるバリア羽根１０１のブレ）を防止することができる。
【００７６】
これによって、光路の径にかかわらず簡易な構成によってスラスト方向におけるバリア羽根１０１の位置を安定化し、スラスト方向におけるバリア羽根１０１の高い位置精度を確保したバリア機構１００を容易に量産することができる。
【００７７】
また、この発明にかかる実施の形態のバリア機構１００によれば、一対のバリア羽根１０１が互いに接する方向または離間する方向に一対のバリア羽根１０１を付勢する付勢部材の一例としての圧縮スプリング１０３を備えたことを特徴とするため、それぞれのバリア羽根１０１をバリア羽根１０１の移動方向（ラジアル方向）に平行な方向に付勢することによって、移動方向におけるバリア羽根１０１の位置を安定化することができる。
【００７８】
これによって、スラスト方向およびラジアル方向におけるバリア羽根１０１の位置を安定化し、スラスト方向およびラジアル方向におけるバリア羽根１０１の高い位置精度を確保したバリア機構１００を容易に量産することができる。
【００７９】
また、この発明にかかる実施の形態のバリア機構１００によれば、一対のバリア羽根１０１が互いに接する方向に一対のバリア羽根１０１を付勢する付勢部材の一例としての圧縮スプリング１０３と、光軸方向に移動可能であって、対物側ほど先細となる形状をなす作動片１０８と、一対のバリア羽根１０１にそれぞれ連結され、当該一対のバリア羽根１０１が閉じる位置に位置付けられている場合に作動片１０８の挿入を許容する作動片受け部２０４を構成する一対の動力伝達片１０６と、を備え、作動片１０８は、作動片受け部２０４に対して接眼側から当接し一対の動力伝達片１０６の間隔を押し開きながら光軸方向において対物側に向かって移動することによってバリア羽根１０１を開く位置に位置付け、光軸方向において接眼側に向かって移動することによってバリア羽根１０１を閉じる位置に位置付けることを特徴とするため、ズームレンズ装置などのように光路長を伸縮させるための構造としてレンズ装置２００が一般的に有する機構を利用して、光路長を伸縮させる際の駆動力によって作動片１０８を移動させてバリア羽根１０１の開閉をおこなうことができる。これによって、バリア羽根を回転させる構造を備えた従来のバリア装置が備えた、バリア羽根を回転させるための回転環を不要とすることができる。
【００８０】
また、この発明にかかる実施の形態のレンズ装置２００は、光路上に設けられたレンズの一例としての対物レンズ８０５を備え、一対のバリア羽根１０１が対物レンズ８０５の光路を開く位置または当該光路を閉じる位置に一対のバリア羽根を選択的に位置付けることによって開閉をおこなうため、埃などの異物が入り込むことを防止し、異物の進入によるバリア羽根の作動不良の発生を防止することができるとともにレンズを確実に保護することができる。
【００８１】
また、この発明にかかるレンズ装置２００を備えた撮像装置によれば、レンズ装置２００を用いてＣＣＤなどの撮像素子に外光を入射させる光路を形成することにより、薄型化を図ったレンズ装置２００によって撮像装置の小型化を図るとともに、ゴミや振動などの外的要因に対してレンズを保護することによって異物が写り混むことによる画質の低下を防止し、品質のよい画像を撮像することができる。
【００８２】
なお、上述した実施の形態においては、２枚のバリア羽根１０１を互いに接近する方向に付勢する圧縮スプリング１０３を設けたが、これに限るものではない。圧縮スプリング１０３に代えて、一対のバリア羽根１０１を互いに離反する方向、すなわち一対のバリア羽根１０１をそれぞれ開き位置側に付勢する付勢部材（たとえば収縮スプリングなど）を設けるようにしてもよい。
【００８３】
この場合、作動片は、沈胴状態と繰出状態との切り替えにともなって動力伝達片に接眼側から当接しながら光軸方向に移動することによって、付勢部材の付勢力に抗する方向に動力伝達片すなわちバリア羽根を摺動させる。このような構成とすることにより、上述した実施の形態と比較して、バリア羽根１０１を常に開放方向に付勢することができるので、開き残りを防止することができる。
【００８４】
以上説明したように、この実施の形態によれば、バリア機構を構成する部品の製造精度や組み立て精度を格別厳密に管理することなく、スラスト方向におけるバリア羽根の位置精度の向上を図るとともに埃などの異物の侵入を防止することができるという効果を奏する。これによって、ゴミや振動などの外的要因に対する高い耐性およびスラスト方向におけるバリア羽根の高い位置精度を確保したバリア機構の量産の容易化を図ることができる。
【産業上の利用可能性】
【００８５】
以上のように、本発明にかかるバリア機構１００、レンズ装置２００および撮像装置は、非撮像時におけるカメラの対物レンズを覆うことで、外部からの衝撃や汚損などから対物レンズを保護する際に有用であり、特に、コンパクトカメラなどの小型の撮像装置に搭載するバリア機構１００、レンズ装置２００およびこれらのバリア機構１００あるいはレンズ装置２００を搭載した撮像装置に適している。
【図面の簡単な説明】
【００８６】
【図１】この発明にかかる実施の形態のバリア機構を示す説明図（その１）である。
【図２】この発明にかかる実施の形態のバリア機構を示す説明図（その２）である。
【図３】この発明にかかる実施の形態のバリア機構を示す説明図（その３）である。
【図４】この発明にかかる実施の形態のバリア機構を示す説明図（その４）である。
【図５】バリア羽根を示す斜視図である。
【図６】ガイドポールの取り付け方法を示す説明図（その１）である。
【図７】ガイドポールの取り付け方法を示す説明図（その２）である。
【図８】作動片の駆動方法を示す説明図である。
【符号の説明】
【００８７】
１００  バリア機構
１０１  バリア羽根
１０３  圧縮スプリング
１０７  ガイドポール
２００  レンズ装置
２０１  前枠
８０５  対物レンズ
【図１】
2009244718.tif 000003
【図２】
2009244718.tif 000004
【図３】
2009244718.tif 000005
【図４】
2009244718.tif 000006
【図５】
2009244718.tif 000007
【図６】
2009244718.tif 000008
【図７】
2009244718.tif 000009
【図８】
2009244718.tif 000010